(57)【特許請求の範囲】
【請求項１】
釣竿にリ−ル本体を装着し、ハンドルの回転操作によりスプ−ルに釣糸を巻回する魚釣用リールにおいて、前記スプ−ルの前方における釣糸放出操作時の手の指で接触可能な位置のリ−ル本体に、前記スプールから放出される釣糸を挿通案内する案内部を有するブレーキレバーからなる案内部材を設け、前記スプールから放出されて収束案内される釣糸を放出操作時に保持した手の指で接触操作可能としたことを特徴とする魚釣用リール。
【発明の詳細な説明】
【０００１】
【発明の属する技術分野】
本発明は、釣糸が巻回されるスプ−ルからの釣糸放出操作性の向上を図るようにした魚釣用リールの改良に関する。
【０００２】
【従来の技術】
例えば、ボ−トからの釣りに必須のキャスト法として、ピッチングが知られており、この釣法は、飛距離よりもスポットに正確なキャストが要求される場合に有効であり、ロッドを狙い場所に向けて竿先を下げた下段の構えをとり、そして、ロッドを上に跳ね上がるようにしながら、ルア−を放してキャストする方法であり、飛距離を出すのは難しいが、コントロ−ル性に優れている。
キャスト時、仕掛（ルア−）をピンポイントへ投入する場合に、微妙な飛距離の調節を行うために釣人は、例えばスピニングリ−ルの場合は、スプ−ルからスパイラル状に放出される釣糸に直接、指を接触させて糸放出抵抗の加減調節を行って対応しているが、スプ−ルの前方へ放出される釣糸へはスプ−ル１周につき１回しか指接触によるブレ−キング操作が行えないので、放出距離の微調節が難しくて正確なポイントへの仕掛け投入性に劣り、釣果に影響する。
【０００３】
クロ−ズドフェ−スリ−ル（覆面型リ−ル）の場合は、リ−ル本体後部に設けたプッシュボタンを押したり、或は、リ−ル本体の前方に設けたレバ−の牽引操作等で釣糸を係止した後に係止を解除し、釣糸（仕掛け）を所定のポイントへ放出するものであり、そして、スプ−ルをクロ−ズドする構成のため、放出される釣糸に直接、ブレ−キング操作が行えず、上記スピニングリ−ル同様に放出距離の微調節が難しく、正確なポイントへの仕掛け投入性に劣り、釣果に影響する等の課題がある。
【０００４】
【発明が解決しようとする課題】
解決しようとする問題点は、放出操作時の釣糸放出距離の微調節が難しく、正確なポイントへの仕掛け投入性に劣ることである。
【０００５】
本発明の目的は前記欠点に鑑み、放出される釣糸に手の指を接触して放出をコントロ−ル可能にして正確なポイントへの仕掛け投入性が得られる魚釣用リールを提供することである。
【０００６】
【課題を解決するための手段】
上記課題を解決するために、
請求項１に係わる本発明は、釣竿にリ−ル本体を装着し、ハンドルの回転操作によりスプ−ルに釣糸を巻回する魚釣用リールにおいて、前記スプ−ルの前方における釣糸放出操作時の手の指で接触可能な位置のリ−ル本体に、前記スプールから放出される釣糸を挿通案内する案内部を有するブレーキレバーからなる案内部材を設け、前記スプールから放出されて収束案内される釣糸を放出操作時に保持した手の指で接触操作可能としたことを要旨とするものである。
【０００７】
【発明の実施の形態】
請求項１の本発明により、スプ−ル１７から放出されて収束案内される釣糸２８を放出操作時に保持した手の指で容易に接触操作できるから、所定のポイントへ向けて放出された釣糸２８に対して容易にブレ−キ操作できるので、放出距離の微調節が確実に行えて仕掛の投入性が向上し、良好な釣果も得られる。
又、釣糸巻取り操作時（待機時）においても直接釣糸２８に触れられるため、微妙な魚信のキャッチも可能となる。
【０００８】
【実施例】
以下、図示の実施例によって本発明を説明すると、図１から図４は第１実施例で、図１は釣糸の放出が指でコントロ−ルされる魚釣用リールの一部破截断面側面図、図２は魚釣用リールの一部拡大破截断面側面図、図３は案内部材の要部正面図、図４はロ−タの回転にブレ−キが掛けられた魚釣用リールの一部破截断面側面図である。
【０００９】
魚釣用リールを魚釣用スピニングリ−ルＡで述べると、
魚釣用スピニングリ−ルＡはリ−ル本体１の前側に軸受１０で中空軸筒２が回転自在に軸承されて中空軸筒２の後端にピニオン２ａが形成されている。
リ−ル本体１の前側に挾持部材３が固定されて軸受１０が抜け止めされている。
挾持部材３の上側は、前方に向けてＵ字状に屈曲されて挾持部３ａが形成され、挾持部３ａ位置の後方に透孔３ｂが穿設されてリ−ル本体１の貫通孔１ａに嵌合された制動駒１１が進退自在に嵌合されている。
【００１０】
中空軸筒２のピニオン２ａと軸受１０の間の中空軸筒２外周に鍔付カラ−１２が嵌合され、軸受１０の前側の中空軸筒２外周に鍔付リング４とロ−タ５の中心筒部５ａが回り止め嵌合されてナット１３で抜け止めされている。
ピニオン２ａに駆動歯車１４が噛合され、ロ−タ５はハンドル１５の回転に連動して回転されるように支持されている。
中空軸筒２内に嵌合されて前側に突出されたスプ−ル軸１６の先端部にスプ−ル１７が支持され、スプ−ル１７はハンドル１５の回転に連動して前後に往復動される。
【００１１】
鍔付リング４は円筒部４ａと円筒部一側外周の鍔部４ｂと軸受１０に当接される突出部４ｃとで形成され、円筒部４ａ外周にころがり式の一方向クラッチＣの内輪１８が嵌合固定され、一方向クラッチＣの外輪１９外周に制動体６の円筒部６ａ内周が嵌合されて発条２０で制動体６のフランジ状制動部６ｂが鍔付リング４の鍔部４ｂと制動駒１１方向に付勢されている。
発条２０は制動体６とロ−タ５の凹陥部底面との間にワッシャ−２１を挾んで張設されている。
制動体６のフランジ状制動部６ｂは挾持部材３の挾持部３ａの内側に配置され、制動駒１１の前面は制動部６ｂに圧接可能に臨まされ、制動部６ｂ外周に歯形の凹部からなる逆転防止用の係止部６ｃが形成されている。
制動体６は円筒部６ａの後端にフランジ状制動部６ｂが一体又は別体で一体に固定されている。
【００１２】
リ−ル本体１の上側に釣竿Ｂに取り付ける脚部１ｂが突出形成され、その基部１ｃの前側に凹部１ｄが形成されると共にリ−ル本体１の側部に蓋板２２がビス２３で固定されている。
凹部１ｄの中にブレ−キレバ−からなる案内部材７と発条２４が内装されて基部１ｃと蓋板２２に軸承されたネジ筒軸２５でブレ−キレバ−からなる案内部材７が回動操作可能に軸承されている。
【００１３】
ブレ−キレバ−からなる案内部材７はネジ筒軸２５が軸承される軸承部７ａと、前方上方に突出されて釣竿Ｂを握った手の指で牽引自在に配置された操作部７ｂと、リ−ル本体１内に延びた押動部７ｃとで形成されている。
操作部７ｂの下面には釣糸ガイド環からなる第１案内部２６と第２案内部２７が前後方向に固定され、第１案内部２６と第２案内部２７の間に深い凹部からなる糸当て部７ｄが形成されている。
第１案内部２６と第２案内部２７は夫々うず巻き状に形成されている。
第１案内部２６はスプ−ル１７から放出された釣糸２８を収束させ、第２案内部２７はその釣糸２８を安定させる。
ブレ−キレバ−からなる案内部材７の押動部７ｃにはスリ割部が形成されてスリ割部に制動駒１１の後端部がピンと長孔で連結されている。
【００１４】
発条２４でブレ−キレバ−からなる案内部材７は、案内部材７の押動部７ｃが制動駒１１をロ−タ５内の制動体６のフランジ状制動部６ｂより離間する図２で反時計方向に付勢されている。
リ−ル本体１の下側に係止部材８が配置されてカム２９と軸３０とレバ−３１で前後に摺動自在に設けられている。
係止部材８にはカム２９が嵌まるカム部８ａと係止部８ｂが形成されている。
係止部８ｂはリ−ル本体１の透孔１ｅに挿入されて前方に突出され、前記制動体６の外周の歯形の逆転防止用の係止部６ｃに係・脱可能に臨まされている。
【００１５】
一方向クラッチＣは内輪１８と外輪１９と複数個の棒状ころがり部材３２と図示しないスペ−サとバネとで構成されている。
外輪１９の内周に複数個の凹部からなる棒状ころがり部材３２の図示しない自由回転域と、複数個の傾斜面からなる棒状ころがり部材３２が当接されて回転が阻止される図示しない阻止面が形成されている。
各棒状ころがり部材３２はスペ−サで等間隔に保持されると共に、バネで棒状ころがり部材３２が傾斜面方向に付勢されている。
一方向クラッチＣの内輪１８外周を棒状ころがり部材３２が軸方向に移動可能に構成されている。
【００１６】
ロ−タ５は中心筒部５ａで中空軸筒２に取り付けられ、筒部５ａと前壁５ｂと大径の筒部５ｃと大径の筒部５ｃの基部５ｄ、５ｅの外周から前方に向けて突出された一対の支持腕５ｆ、５ｇとで形成されている。
一対のベ−ル支持腕５ｆ、５ｇの先端部外側に一方のベ−ル支持部材３３がビス３５で他方のベ−ル支持部材３４が図示しないビスで釣糸巻取位置と釣糸放出位置に反転自在に軸承されている。
一方のベ−ル支持部材３３には図示しない釣糸案内ロ−ラの取付部３６が取り付けられている。
他方のベ−ル支持部材３４と取付部３６の間にベ−ル３７が取り付けられている。
【００１７】
前記魚釣用スピニングリ−ルのキャスト動作では、図１のように一方のベ−ル支持部材３３が釣糸放出位置に反転され、スプ−ル１７に巻回された釣糸２８がブレ−キレバ−からなる案内部材７の釣糸ガイド環からなる第１案内部２６と第２案内部２７に挿通された状態で釣竿Ｂを握った手の指が第１案内部２６と第２案内部２７の間の釣糸２８に当接されて釣糸２８が放出される。
釣糸２８に手の指で状況に応じて適宜、接触・当接して放出される釣糸２８に微妙なブレ−キ操作が行える。
【００１８】
前記魚釣用スピニングリ−ルの他の動作は、図４のように一方のベ−ル支持部材３３が釣糸巻取位置で釣糸２８がスプ−ル１７に巻回される方向にハンドル１５が回転されると、中空軸筒２と鍔付リング４と一方向クラッチＣの内輪１８とロ−タ５が回転される。
この時各棒状ころがり部材３２は自由回転域に位置されるので、中空軸筒２及びロ−タ５の回転が制動体６に伝達されず、中空軸筒２及びロ−タ５は回転に支障を来さずに回転され、中空軸筒２と鍔付リング４とロ−タ５の回転に制動は掛けられない。
前記状態でブレ−キレバ−からなる案内部材７の操作部７ｂが牽引されていると、制動駒１１が制動体６の制動部６ｂに圧接されて制動体６が発条２０に抗して軸方向に前進され、制動部６ｂは挾持部材３の挾持部３ａに圧接されて制動体６と外輪１９は回転が停止状態となるが、中空軸筒２と鍔付リング４とロ−タ５の回転に制動は掛けられない。
【００１９】
次に係止部材８がレバ−３１とカム２９で後退して係止部８ｂが制動体６の外周の歯形の逆転防止用の係止部６ｃから離脱した状態で、獲物の引きでスプ−ル１７に巻回された釣糸２８が繰り出されると、ロ−タ５と中空軸筒２と鍔付リング４と外輪１９が逆回転される。
この時ロ−タ５と中空軸筒２と内輪１８が逆回転されると、棒状ころがり部材３２が外輪１９の阻止面に圧接されるから、制動体６が外輪１９と一体に逆回転される。
この時ブレ−キレバ−からなる案内部材７の操作部７ｂが牽引されていると、制動駒１１が制動部６ｂに圧接されて制動体６が軸方向に前進されると共に、制動部６ｂは挾持部材３の挾持部３ａに圧接され、制動体６と外輪１９は回転が停止状態となり、ロ−タ５と中空軸筒２と内輪１８の逆回転に瞬時に制動が掛けられる。
【００２０】
係止部材８がレバ−３１とカム２９で前進されて係止部８ｂが制動体６の外周の歯形の逆転防止用の係止部６ｃに係止された状態で、獲物の引きでスプ−ル１７に巻回された釣糸２８が繰り出されると、ロ−タ５と中空軸筒２と鍔付リング４と外輪１９が逆回転される。
この時ロ−タ５と中空軸筒２と内輪１８が逆回転されると、棒状ころがり部材３２が外輪１９の阻止面に圧接されるから、制動体６が外輪１９と一体に逆回転されようとする。
しかし、制動体６に係止部材８が係止されているので、ロ−タ５と中空軸筒２と鍔付リング４と外輪１９の逆回転が瞬時に停止される。
【００２１】
前記図４の一方のベ−ル支持部材３３が釣糸巻取位置でロ−タ５が逆回転されて釣糸２８が繰り出される状態で、第１案内部２６と第２案内部２７の間の釣糸２８に手の指を当ててリ−ル操作を行ってもよい。
【００２２】
前記のように魚釣用リールが構成されると、スプ−ル１７から放出されて収束案内される釣糸２８を放出操作時に保持した手の指で容易に接触操作できるから、所定のポイントへ向けて放出された釣糸２８に対して容易にブレ−キ操作できるので、放出距離の微調節が確実に行えて仕掛の投入性が向上し、良好な釣果も得られる。
又、釣糸巻取り操作時（待機時）においても直接釣糸２８に触れられるため、微妙な魚信のキャッチも可能となる。
第１案内部２６と第２案内部２７に釣糸２８が挿通されていると、釣糸放出時の釣糸変動の少ない案内部間において指先で接触操作できるので、安定した微妙なブレ−キ操作が行える。
【００２３】
図５は第２実施例で、図５は釣糸の放出が指でコントロ−ルされる魚釣用リールの一部破截断面側面図である。
【００２４】
第２実施例では、ブレ−キレバ−からなる案内部材７の操作部７ｂの下面には釣糸ガイド環からなる第１案内部２６が固定され、第１案内部２６の前側に浅い凹部からなる糸当て部７ｅが形成されている。
他の構成は前記第１実施例と略同一である。
【００２５】
図６から図８は第３実施例で、図６はクロ−ズドフェ−スリ−ルの釣糸放出状態の断面側面図、図７はクロ−ズドフェ−スリ−ルの釣糸放出状態の拡大断面平面図と（ａ）釣糸案内部材の一部拡大断面平面図と（ｂ）ピックアップ部材の一部拡大断面平面図、図８はクロ−ズドフェ−スリ−ルの巻取状態の要部断面平面図である。
【００２６】
第３実施例では魚釣用リールをクロ−ズドフェ−スリ−ルＤで述べると、
クロ−ズドフェ−スリ−ルＤはリ―ル本体１′の円筒部１ｈ外周の段部に椀状のフロントカバ―９が螺合等で着脱可能に装着されている。
リ―ル本体１′の後側筐部１ｉと側部カバ―３９でハンドル１５が取り付けられたハンドル軸４０が回転自在に支承され、リ―ル本体１′の上側には脚部１ｂが一体に設けられている。
フロントカバ―９の前面９ａ中央部には段部９ｂを有する大径の透孔９ｃが穿設されて段部９ｂにころがり軸受４１の外輪が接着剤で固定されている。
ころがり軸受４１の内輪には釣糸案内部材４２が接着剤で固定されている。
釣糸案内部材４２の中心には釣糸案内孔４２ａが形成され、前面に鍔部４２ｂが形成されている。
【００２７】
前記円筒部１ｈの中心には中空軸筒２′の一端が螺着されて中空軸筒２′の軸芯中空部２ｂに回転軸４３が回転自在にかつ前後に摺動自在に嵌合されている。
中空軸筒２′の先端外周には偏心カム２ｃが形成され、中空軸筒２′の外周にはスプ―ル軸筒４４が周方向に回り止めされて前後に摺動自在に嵌合されている。
回転軸４３は中空軸筒２′の中空部２ｂに摺動自在に嵌合される軸部４３ａと、軸部４３ａの先端のネジ部４３ｂと、軸部４３ａの後側の外周が回り止め形成された軸部４３ｃと、軸部４３ｃの後端の周溝４３ｄで形成されている。
【００２８】
前記スプ―ル軸筒４４の外周にはスプ―ル１７′が嵌合されると共にスプ―ル１７′の前面にはライニングワッシャ―４５が嵌合摺接されてＥリング４６でスプ―ル１７′はスプ―ル軸筒４４から抜け止めされ、スプ―ル１７′の後面にはライニングワッシャ―４７とバネ板状制動板４８が嵌合摺接されている。
前記スプ―ル軸筒４４の後側にはカップ状の円盤４４ａが一体に形成されて図７のようにナット４９が固定され、ナット４９に螺合されたビス５０の先端は前記制動板４８に当接され、ビス５０の後端はリ―ル本体１′の後面に取り付けられたドラグ調整ノブ５１の回り止め穴に前後に摺動自在に嵌合されている。
前記スプ―ル軸筒４４の円盤４４ａの後面には図７のようにオシレ―ト用突起４４ｂとガイドバ―４４ｃが突設されて後側筐部１ｉ内に突出されている。
【００２９】
前記回転軸４３の前端のネジ部４３ｂには糸取りロ―タ５′が回り止め嵌合されてナット５２で固定されている。
ロ―タ５′の内側底面には保持部材５３が固定されて保持部材５３にピックアップ部材Ｅのカム部材５４が放射方向に摺動自在に保持され、ピックアップ部材Ｅの上端の回転ロ−ラ−５５はロ―タ５′の透孔５ｈに上下に摺動可能に挿通され、カム部材５４は発条５６で下端５４ａが中空軸筒２′の外周又は偏心カム２ｃの外周に押圧付勢されている。
前記ロ―タ５′の前面にはガ−ド部材５７が前記フロントカバ―９の内側と対向するように固定されている。
【００３０】
ピックアップ部材Ｅはカム部材５４と、カム部材５４の上端の鍔部５４ｂに載せられた発条５６と、カム部材５４の上端の軸部５４ｃに載せられてビス５８で固定されたボ−ル軸受５９の内輪と、ボ−ル軸受５９の外輪に固定された回転ロ−ラ−５５とで構成されている。
スプ―ル１７′に捲回された釣糸２８は、ロ―タ５′の外周から突出したピックアップ部材Ｅの回転ロ−ラ−５５にガイドされて釣糸案内部材４２の釣糸案内孔４２ａに挿通された後外部に引き出される。
【００３１】
前記円筒部１ｈから後側筐部１ｉ内に突出した回転軸４３の軸部４３ｃにはピニオン６０が回転軸４３に対して摺動のみ可能に嵌合されてリリ―スバネ６１で押圧付勢され、リリ―スバネ６１は周溝４３ｄに係止されたＥリング６２で抜け止めされている。
ピニオン６０はハンドル軸４０に固定された駆動歯車１４に噛合されてハンドル１５で回転される。
前記駆動歯車１４の裏面には偏心カム１４ａが形成されてオシレ―ト板６３が嵌合され、オシレ―ト板６３のピン６４は前記スプ―ル軸筒４４の円盤４４ａから突設されたオシレ―ト用突起４４ｂの孔に嵌合されている。
前記後側筐部１ｉと側部カバ―３９にはブレ−キレバ−からなる案内部材７がネジ筒軸２５で回動自在に取り付けられている。
【００３２】
ブレ−キレバ−からなる案内部材７はネジ筒軸２５が軸承される軸承部７ａと、前方上方に突出されて釣竿Ｂを握った手の指で牽引自在に配置された操作部７ｂと、リ−ル本体１内に延びた押動部７ｃとで形成されている。
発条２４で押動部７ｃは前記回転軸４３の軸部４３ｃ後端に当接自在に臨まされている。
操作部７ｂの下面には釣糸ガイド環からなる第１案内部２６と第２案内部２７が前後方向に固定され、第１案内部２６と第２案内部２７の間に凹部からなる糸当て部７ｅが形成されている。
第１案内部２６と第２案内部２７は夫々うず巻き状に形成されている。
【００３３】
前記クロ−ズドフェ−スリ−ルＤのキャスト動作では、スプ―ル１７′に巻回された釣糸２８が放出される時、図９でブレ−キレバ−からなる案内部材７の操作部７ｂが引き上げられると、押動部７ｃで回転軸４３の軸部４３ｃ後端がリリ―スバネ６１に抗して押し込まれ、回転軸４３とロ―タ５′が前進されてピックアップ部材Ｅのカム部材５４の下端５４ａが発条５６で中空軸筒２′の外周から偏心カム２ｃ上に落下されてピックアップ部材Ｅの上端の回転ロ−ラ−５５が図７のように、ロ―タ５′の外周面から引き込まれるとスプ―ル１７′に巻回された釣糸２８が自由に繰り出される。
スプ−ル１７′に巻回された釣糸２８がブレ−キレバ−からなる案内部材７の釣糸ガイド環からなる第１案内部２６と第２案内部２７に挿通された状態で釣竿Ｂを握った手の指が第１案内部２６と第２案内部２７の間の釣糸２８に当接されて釣糸２８が放出される。
【００３４】
釣糸２８に手の指で状況に応じて適宜、接触・当接して放出される釣糸２８に微妙なブレ−キ操作が行える。
【００３５】
前記クロ−ズドフェ−スリ−ルＤの他の動作は、釣糸２８がスプ―ル１７′に巻回される方向にハンドル１５が回転されると、駆動歯車１４とピニオン６０を介して回転軸４３とロ―タ５′が回転されて偏心カム２ｃの上にピックアップ部材Ｅのカム部材５４の下端５４ａが係合されている時この係合が解除され、下端５４ａは中空軸筒２′の外周に押し上げられてピックアップ部材Ｅの上端の回転ロ−ラ−５５は発条５６に抗してロ−タ５′の外周面から突出してガイドとなって図９となり、釣糸２８が前後にオシレ―トされるスプ―ル１７′に巻回される。
この時釣糸２８は釣糸案内部材４２の釣糸案内孔４２ａに挿通されて外部に引き出され、釣糸案内部材４２はころがり軸受４１で回転自在に支持されているので、釣糸２８に掛かる力が釣糸案内孔４３ａの縁に掛かるから、ロ−タ５′と回転ロ−ラ−５５の回転に応じて釣糸案内孔４２ａから引き出される釣糸２８の位置が回転方向に変位され、同時に釣糸２８と釣糸案内孔４２ａの内周面との摺接で釣糸案内部材４２が回転される。
【００３６】
前記キャスト動作で、釣糸の放出が係止される時は、ロ−タ５′の前面のガ−ド部材５７がフロントカバ―９の内側に押し当たるまでブレ−キレバ−からなる案内部材７が引き上げられる。
釣糸２８はガ−ド部材５７とフロントカバ―９の内側に挾まれて繰り出しが係止される。
【００３７】
図９は第４実施例で、図９はクロ−ズドフェ−スリ−ルの側面図である。
【００３８】
第４実施例では、ブレ−キレバ−からなる案内部材７の操作部７ｂの下面に、第１案内部が省略されて釣糸ガイド環からなる第２案内部２７のみ設けられている。
他の構成は前記第３実施例と略同一である。
【００３９】
前記説明で案内部材７の操作部７ｂの下面には釣糸ガイド環からなる案内部を１個と２個設けるように述べたが、３個以上設けてもよい。
案内部の形状は他の形状としてもよい。
【００４０】
【発明の効果】
本発明は、以上説明したような形態で実施され、以下に記載されるような効果を奏する。
【００４１】
請求項１により、スプ−ルから放出されて収束案内される釣糸を放出操作時に保持した手の指で容易に接触操作できるから、所定のポイントへ向けて放出された釣糸に対して容易にブレ−キ操作できるので、放出距離の微調節が確実に行えて仕掛の投入性が向上し、良好な釣果も得られる。
又、釣糸巻取り操作時（待機時）においても直接釣糸に触れられるため、微妙な魚信のキャッチも可能となる。
【図面の簡単な説明】
【図１】  第１実施例で、釣糸の放出が指でコントロ−ルされる魚釣用リールの一部破截断面側面図である。
【図２】  同魚釣用リールの一部拡大破截断面側面図である。
【図３】  同案内部材の要部正面図である。
【図４】  同ロ−タの回転にブレ−キが掛けられた魚釣用リールの一部破截断面側面図である。
【図５】  第２実施例で、釣糸の放出が指でコントロ−ルされる魚釣用リールの一部破截断面側面図である。
【図６】  第３実施例で、クロ−ズドフェ−スリ−ルの釣糸放出状態の断面側面図である。
【図７】  同クロ−ズドフェ−スリ−ルの釣糸放出状態の拡大断面平面図と（ａ）釣糸案内部材の一部拡大断面平面図と（ｂ）ピックアップ部材の一部拡大断面平面図である。
【図８】  同クロ−ズドフェ−スリ−ルの巻取状態の要部断面平面図である。
【図９】  第４実施例で、クロ−ズドフェ−スリ−ルの側面図である。
【符号の説明】
Ａ、Ｂ、Ｄ  魚釣用リール（魚釣用スピニングリ−ル、釣竿、クロ−ズドフェ−スリ−ル）
１、１′  リ−ル本体
７  案内部材
１５  ハンドル
１７、１７′  スプ―ル
２６  第１案内部
２７  第２案内部
２８  釣糸
【図１】
0003847608.tif 000002
【図２】
0003847608.tif 000003
【図３】
0003847608.tif 000004
【図４】
0003847608.tif 000005
【図５】
0003847608.tif 000006
【図６】
0003847608.tif 000007
【図７】
0003847608.tif 000008
【図８】
0003847608.tif 000009
【図９】
0003847608.tif 000010